(57)【特許請求の範囲】
【請求項１】
前身頃（２）、後身頃（３）、両袖（４）、襟（５）および襟台（６）によって構成されるシャツ（１）であって、
前記後身頃（３）の脇下部分に通気のための脇下開口部（Ａ）が設けられ、
前記脇下開口部（Ａ）の開口縁（３０）に、開口状態を常時保持するための開口状態保持手段が配置され、これにより前記脇下開口部（Ａ）から首への通気（２０）の促進が図られ、
前記開口状態保持手段が、前記開口縁（３０）の裾の折り込み部分に導入された芯部材からなり、
前記芯部材によって、前記開口縁（３０）の開口状態が常時維持されて、これにより前記脇下開口部（Ａ）から通気流がシャツ内部に導入されるとともに、前記脇下開口部（Ａ）に携帯送風装置からの送風ホースを導通させることができるようにしたことを特徴とする、通気性シャツ。
【請求項２】
前記脇下開口部の開口縁（３０）に、前記芯部材と共に、携帯送風装置からのエアーをシャツ内部に導入するためのエアー導入保持手段が設けられてなる、請求項１に記載の通気性シャツ。
【請求項３】
前記エアー導入保持手段が、携帯送風装置からの送風ホースを支持するためのホース支持部材（３１）からなる、請求項２に記載の通気性シャツ。
【請求項４】
後身頃（３）の背中部分のいずれかの位置に、通気のための背中開口部（１１）を設けた、請求項１〜３のいずれか一項に記載の通気性シャツ。
【発明の詳細な説明】
【技術分野】
【０００１】
本発明は、シャツに分類される上半身体幹部に着用する衣服に関し、特に、通気性にすぐれたシャツに関するものである。
【背景技術】
【０００２】
近年の異常気象の影響で熱中症の発症率が増加している。夏季において、特に屋外もしくは冷房装置のない場所において長時間にわたって制服で作業や業務に従事しなければならない従業者（たとえば警備、現場監督者）にとって、体温の上昇を少しでも低減し可能な限り熱さから身を守ることは、熱中症の予防のみならず、従業者の健康維持の観点からも極めて重要である。
【０００３】
従来、上記のような従業者が着用する公用のシャツは、熱さから身を守るという観点から見た場合、必ずしも十分配慮されているとは言い難いものであった。
【０００４】
従来提案されている通気性に配慮したシャツとしては、たとえば、シャツの特定の部分のみに通気性の良い素材を部分使用することによって外見的に従来の公用のシャツと同様の外観を確保したものがある（特許文献１）。
【先行技術文献】
【特許文献】
【０００５】
【特許文献１】実用新案登録台３１７８９８８号
【発明の概要】
【発明が解決しようとする課題】
【０００６】
本発明は、上述した従来の、特に業務用（公用）のシャツにおける問題を解決することに向けられたものであり、夏季等の過酷な環境下においても良好な通気性が確保され、熱中症対策のみならず健康保持においても優れた効果を奏する通気性シャツを提供することを目的としている。
【課題を解決するための手段】
【０００７】
本発明による通気性シャツは、前身頃、後身頃、両袖、襟および襟台によって構成されるシャツであって、前記後身頃の脇下部分に通気のための脇下開口部を設けたことを特徴とするものである。
【０００８】
本発明に係るシャツは、上半身体幹部に着用するいわゆるシャツ類であって、男性用と女性用の双方を包含する。
【０００９】
また、本発明の好ましい態様においては、前記脇下開口部の開口縁に、開口状態を常時保持するための開口状態保持手段を配置し、これによって通気のさらなる促進を図ることができる。
【００１０】
さらに、本発明においては、前記開口保持手段が、前記開口縁の裾の折り込み部分に導入された芯部材からなることができ、さらには、前記開口保持手段が、前記開口縁に取り付けられた突起部材からなることもできる。
【００１１】
また、本発明の好ましい態様においては、前記脇下開口部の開口縁に、携帯送風装置からのエアーをシャツ内部に導入するためのエアー導入保持手段が設けられていてもよく、該エアー導入保持手段が、携帯送風装置からの送風ホースを支持するためのホース支持部材であってもよい。
【００１２】
さらに、本発明の他の好ましい態様においては、後身頃の背中部分のいずれかの位置に、通気のための背中開口部をさらに設けることもできる。
【発明の効果】
【００１３】
本発明に係る通気性シャツによれば、従来のシャツの構成・デザインを大幅に変更することなく、比較的簡易な構造と手段によって効果的な通気性を確保することができることから、シャツのデザインの公用性を維持しつつ、良好な通気特性を発現させることができるという優れた効果を奏する。
【図面の簡単な説明】
【００１４】
【図１】本発明による通気性シャツの正面図。
【図２】本発明による通気性シャツの背面図。
【図３】本発明による通気性シャツの脇下開口部Ａの部分拡大図。
【発明を実施するための形態】
【００１５】
以下、図面を参照して本発明の好ましい一実施形態について説明する。なお、本件明細書に添付する図面においては、図示と理解のしやすさの便宜上、適宜縮尺および縦横の寸法比等は変更されており、実物のそれらと必ずしも正確に一致するものではない。
【００１６】
図１は、本発明による通気性シャツの正面図。図２は、その背面図であり、図３は、図２に示された本発明による通気性シャツの脇下開口部Ａの部分拡大図である。
【００１７】
本発明による通気性シャツ１においては、前身頃（まえみごろ）２と前立て８によって正面が形成され、後身頃（うしろみごろ）３ならびに肩ヨーク１０によって背面が構成される。正面の前立て８はボタン９によって固定される。また、前身頃２には必要に応じてポケット１２が配置される。両方の袖４は図示のような長袖に限定されず、半袖であってもよい。
【００１８】
首部分の構成は、襟（えり）５と襟台６からなり、襟の剣先７はボタンダウンの形態にすることもできる。
【００１９】
本発明の通気性シャツ１においては、図２に示すように、両袖４に対向する後身頃の脇下部分に通気のための脇下開口部Ａが設けられている。このような脇下開口部Ａを設けることによって、開口部から通気流２０をシャツ内部に導入し襟首部分から抜けるような通気性を確保することが可能となる。
【００２０】
図３は、図２に示された本発明による通気性シャツの脇下開口部Ａの部分拡大図であり、この好ましい態様においては、脇下開口部Ａの開口縁３０が開口状態を常時保持するための開口状態保持手段３０を兼ねて配置されている。常時開口状態が保持されることから、通気のさらなる促進を図ることができる。
【００２１】
このような開口状態保持手段３０としては、開口縁の裾の折り込み部分に、比較的硬めの芯部材を入れて開口状態が維持されるように浮かせた構造にすることができる。このような芯部材としては、ナイロン織物、ナイロンとポリエチレンから構成される織物、ポリエステルとポリエチレンから構成される織物、ポリエステル織物、ポリエステルと綿から構成される織物、あるいはポリエチレン織物などが用いられ得る。合成繊維製の織物以外では、形状記憶性を有する金属材料を使用することもできる。
【００２２】
また、本発明の他の好ましい態様においては、開口縁３０に突起部材（図示せず）を取り付けて開口状態を保持する手段とすることもできる。
【００２３】
さらにまた、本発明の好ましい態様においては、脇下開口部Ａの開口縁３０に、携帯送風装置（図示せず）からのエアーをシャツ内部に導入するためのエアー導入保持手段が設けられていてもよく、該エアー導入保持手段としては、携帯送風装置からの送風ホースを支持するための送風ホース支持部材３１であってもよい。
【００２４】
本発明においては、図２に示すように、後身頃の背中部分の所定の位置に、通気のための背中開口部１１をさらに設けることもできる。このような背中開口部１１を追加的に設けることによって、シャツの通気性は一層向上することが期待できる。
【００２５】
上記のような本発明の通気性シャツによれば、従来のシャツの構成を大幅に変更することなく、比較的簡易な構造と手段によって効果的な通気性を確保することができることから、シャツのデザインの公用性を維持しながら、良好な通気特性を発現させることができるという優れた効果を奏する。
【００２６】
さらに、本発明における上述した脇下開口部Ａは、シャツを着用した場合に特に熱気が蓄積しやすい脇下部分に設けられているので、身体の中で特に蒸れやすく、また汗が滲出しやすい脇部分に起因する従来の問題を効果的に解消することができる点でも優れている。
【００２７】
特に、シャツ着用時に生じやすい脇汗はシャツの黄ばみの原因となるばかりでなく、臭いやワキガ（腋臭症）の原因ともなる。本発明による通気性シャツによれば、このような問題も予防することができる。
【符号の説明】
【００２８】
１  通気性シャツ
２  前身頃
３  後身頃
４  袖
５  襟
６  襟台
７  剣先
８  前立て
９  ボタン
１０  肩ヨーク
１１  背中開口部
１２  ポケット
２０  通気流
３０  開口縁（開口状態保持手段）
３１  送風ホース支持部材
Ａ  脇下開口部
【要約】
【課題】夏季等の過酷な環境下においても良好な通気性が確保され、熱中症対策のみならず健康保持においても優れた効果を奏する通気性シャツを提供すること。
【解決手段】前身頃、後身頃、両袖、襟および襟台によって構成されるシャツであって、前記後身頃の脇下部分に通気のための脇下開口部を設けたことを特徴とする通気性シャツ。
【選択図】図２【図１】
0006039020.tif 000002
【図２】
0006039020.tif 000003
【図３】
0006039020.tif 000004